(57)【特許請求の範囲】
【請求項１】
レンズ保持枠の外周面に嵌められたフォーカスリングを回転させることにより、レンズ又はレンズ群を光軸方向に移動させ、調整がなされた位置で前記レンズ保持枠に対する前記フォーカスリングの位置を止めネジにより固定するレンズのフォーカス固定構造において、
前記止めネジが前記フォーカスリングとは別の部材に取り付けられ、前記止めネジにより位置固定されるフォーカスストッパ部材を有し、前記フォーカスストッパ部材は、前記止めネジにより固定される固定部と、該固定部から角度を有して前記フォーカスリングに向って延びる当接部とを有し、
前記固定部を前記止めネジで固定したときに、前記当接部の先端は前記フォーカスリングの外周面に弾性力で当接し、該当接圧によって前記レンズ保持枠に対する前記フォーカスリングの位置固定がなされることを特徴とするレンズのフォーカス固定構造。
【請求項２】
請求項１に記載のレンズのフォーカス固定構造において、
前記止めネジが前記レンズ保持枠にねじ込んで取り付けられ、前記フォーカスストッパ部材は前記止めネジにより前記レンズ保持枠に固定されていることを特徴とするレンズのフォーカス固定構造。
【請求項３】
請求項２に記載のレンズのフォーカス固定構造において、
前記当接部の先端が、前記フォーカスリングとの摩擦係数を大きくする形状ないし表面層を有していることを特徴とするフォーカス固定構造。
【請求項４】
請求項２又は３に記載のレンズのフォーカス固定構造において、
前記フォーカスストッパ部材の前記固定部における前記当接部と反対側には、前記レンズ保持枠に係止するための係合部が設けられ、該係合部は、前記レンズ保持枠に断面コ字状に係合する形状を有していることを特徴とするレンズのフォーカス固定構造。
【請求項５】
請求項４に記載のレンズのフォーカス固定構造において、
前記係合部の自由端が、前記レンズ保持枠との摩擦係数を大きくする形状ないし表面層を有していることを特徴とするフォーカス固定構造。
【発明の詳細な説明】
【技術分野】
【０００１】
本発明は、監視カメラ等におけるレンズのフォーカス固定構造に関する。
【背景技術】
【０００２】
例えば監視カメラにおけるレンズのフォーカス固定は、図６及び図７に示すように、フォーカスリング８に直接ねじ込まれて取り付けられている止めネジ１８を、合焦位置でねじ込み、止めネジ１８の先端をレンズ保持枠６に当接させることにより、レンズ保持枠６に対するフォーカスリング８の回転を止める構造が一般的となっている。
【先行技術文献】
【特許文献】
【０００３】
【特許文献１】実開平０９−２２２５５２号公報
【発明の概要】
【発明が解決しようとする課題】
【０００４】
現在、イメージセンサの精細化により、レンズ解像度にも高いものが求められている。それに伴い、監視カメラ等の取り付け現場でのフォーカス調整もシビアであり、フォーカス調整にも高分解能化が必要になってきている。
フォーカス調整を高分解能化するためには、フォーカスリングの回転角を増やす必要があり、従来は６０ｄｅｇ〜９０ｄｅｇで調整していたものが、１８０ｄｅｇ〜２７０ｄｅｇと３倍以上の分解能が求められている。
【０００５】
従来のフォーカス固定構造の場合、上記のように回転操作されるフォーカスリングに止めネジが直接取り付けられているため、６０ｄｅｇ〜９０ｄｅｇ程度の調整範囲では問題はなかったが、１８０ｄｅｇ〜２７０ｄｅｇの調整範囲となると、フォーカスリングの回転に伴って止めネジも移動するため、取り付け現場での止めネジの固定が難しくなり、作業性が悪くなる問題があった。
作業者が回り込めるスペースがある場合には、それほど問題はないが、例えば３面に囲まれた空間の角部に監視カメラを取り付ける場合、フォーカスリングの回転角が大きくなると、作業者から止めネジはほとんど見えなくなり、手探りの状態で止めネジをねじ込んで固定しなければならない。角部での作業スペースは殆ど無いため、ねじ込み作業は困難を極める場合があった。
【０００６】
本発明はこのような事情に鑑みてなされたもので、監視カメラなどの取り付け場所に作業スペース上の制約がある場合でも、レンズのフォーカス調整及び調整された位置でのフォーカスリングの固定が容易に行え、レンズのフォーカス固定に係る作業性の向上に大きく寄与できるレンズのフォーカス固定構造の提供を、その主な目的とする。
【課題を解決するための手段】
【０００７】
上記目的を達成するために、本発明は、止めネジのねじ込みによってフォーカスリングの回転を直接に止める構成を回避し、止めネジで固定される別部材によって間接的にフォーカスリングの回転を止めるようにし、フォーカスリングの回転に伴って止めネジが移動しない構成とした。
具体的には、本発明は、レンズ保持枠の外周面に嵌められたフォーカスリングを回転させることにより、レンズ又はレンズ群を光軸方向に移動させ、調整がなされた位置で前記レンズ保持枠に対する前記フォーカスリングの位置を止めネジにより固定するレンズのフォーカス固定構造において、前記止めネジが前記フォーカスリングとは別の部材に取り付けられ、前記止めネジにより位置固定されるフォーカスストッパ部材を有し、前記フォーカスストッパ部材は、前記止めネジにより固定される固定部と、該固定部から角度を有して前記フォーカスリングに向って延びる当接部とを有し、前記固定部を前記止めネジで固定したときに、前記当接部の先端は前記フォーカスリングの外周面に弾性力で当接し、該当接圧によって前記レンズ保持枠に対する前記フォーカスリングの位置固定がなされることを特徴とする。
【発明の効果】
【０００８】
本発明によれば、取り付け場所に作業スペース上の制約がある場合でも、レンズのフォーカス調整及び調整位置でのフォーカスリングの固定が容易に行え、レンズのフォーカス固定に係る作業性の向上に大きく寄与できる。
【図面の簡単な説明】
【０００９】
【図１】本発明の一実施形態に係る監視カメラの要部斜視図である。
【図２】同断面図である。
【図３】フォーカス固定構造の要部拡大図である。
【図４】フォーカスストッパ部材の斜視図である。
【図５】フォーカスストッパ部材の当接部の先端形状を示す図である。
【図６】従来の監視カメラの要部斜視図である。
【図７】同断面図である。
【発明を実施するための形態】
【００１０】
以下、本発明の一実施形態を図を参照して説明する。
図１及び図２に示すように、本実施形態における監視カメラ２は、フォーカスレンズ群４等を保持するレンズ保持枠（レンズ鏡胴）６と、レンズ保持枠６の外周面に螺旋溝とこれに噛み合う凸部構造を介して回転可能に設けられたフォーカスリング８等を有している。
フォーカスリング８には、鋸歯状の突起が周方向に連なる摘み部１０が形成されており、該摘み部１０を持ってフォーカスリング８を回転させると、これに連動してフォーカスレンズ群４等を支持するユニットが光軸１２方向に移動し、フォーカス調整がなされる。
【００１１】
ズーム調整部１４との接続部であるレンズ保持枠６の径大部（フランジ部）１６には雌ネジ１６ａが形成されており、雌ネジ１６ａに止めネジ１８がねじ込まれて取り付けられている。
径大部１６の表面には、例えば帯状の板金を折り曲げて形成したフォーカスストッパ部材２０が止めネジ１８で固定されている。
図３及び図４に示すように、ネジ止め部位を中心にして、フォーカスストッパ部材２０の一端部（図中右側）は係合部２０ａとしてなり、係合部２０ａは、その先端（自由端）側が径大部１６の下側に潜り込む断面コ字状（Ｕ字状の概念を含む）に形成されている。換言すれば、径大部１６の外側面に嵌まり込む形状を有している。
すなわち、係合部２０ａは、止めネジ１８で挟持され、径大部１６の外周面に略平行に延びる固定部２０ａ−１と、該固定部２０ａ−１から径大部１６の下側に向って略垂直に延びる垂直部２０ａ−２と、該垂直部２０ａ−２から径大部１６の下面１６ｂに沿って略水平に延びる係止部２０ａ―３とから構成されている。
係止部２０ａ―３が径大部１６の下面１６ｂに弾性力でフィットするような寸法のコ字形状とすれば、止めネジ１８が脱落しても、フォーカスストッパ部材２０がレンズ保持枠６から外れて落ちたり、位置ずれしたりするのを防止することできる。
【００１２】
フォーカスストッパ部材２０の係合部２０ａと反対側の他端部２０ｂは、止めネジ１８で挟持され、フォーカスリング８の外周面に略平行に延びる固定部２０ｂ−１と、該固定部２０ｂ−１からフォーカスリング８に向って略垂直に延びる当接部２０ｂ−２とからなるＬ字状に形成されている。当接部２０ｂ−２の先端は、リング部２２の外周面に対する摩擦力を高めるために、鋸歯状に形成されている。ここでは、他端部２０ｂの形状をＬ字状としたが、当接部２０ｂ−２が斜めに延びる形状としてもよい。
図４において、符号２０ｃは止めネジ１８の挿通穴を示している。
【００１３】
当接部２０ｂ−２の先端は、フォーカスリング８の摘み部１０の背面（図２中右側）側に位置するリング部２２の外周面に当接している。止めネジ１８で固定したときに、当接部２０ｂ−２の先端はリング部２２の外周面に弾性力で当接し、該当接圧（摩擦力）によってレンズ保持枠６に対するフォーカスリング８の回転が止められている。
上記弾性力は、フォーカス調整のためのフォーカスリング８の回転操作が可能で、且つ、回転操作を止めたときにはレンズ保持枠６に対するフォーカスリング８の位置固定（回転止め）が得られるように設定されている。
【００１４】
したがって、フォーカス調整を行う場合には、摘み部１０を持ってフォーカスリング８を回転させるだけでよく、調整がなされた位置としての合焦位置で回転操作を止めるだけで、フォーカス調整作業は完了する。
フォーカスリング８を回すだけの作業であるので、フォーカスリング８の回転角の大きさに拘らず容易に調整を行うことができる。
また、如何に狭いスペースであってもカメラ取り付け後のフォーカス調整作業を容易に行うことができる。
【００１５】
本実施形態では、フォーカスストッパ部材２０をフォーカスリング８の外周面に当接（圧接）させてその摩擦力でフォーカスリング８の回転を止める構成であるので、フォーカスリング８に不意に大きな力が加わった場合、フォーカスリング８が動いて合焦位置がずれる虞がある。
また、リング部２２の外周面を傷付ける可能性がる。
このような懸念を解消するために、図５（ａ）に示すように、当接部２０ｂ−２の先端を弾性材２４でコーティングして摩擦係数を増加させてもよい。
また、図５（ｂ）に示すように、当接部２０ｂ−２の先端を略フラットにしてゴム等の弾性材２６を取り付けてもよい。
【００１６】
フォーカスストッパ部材２０の係合部２０ａ側においても当接部２０ｂ−２と同様にレンズ保持枠６との摩擦係数を大きくするようにしてもよい。
すなわち、係止部２０ａ―３の径大部１６の下側に対向する面を弾性材でコーティングしたりゴム層を設けて摩擦係数を増加させてもよい。
また、係止部２０ａ―３の先端を上方に立ち上げて該先端を鋸歯状に形成してもよい。
このようにすれば、ネジ締め時のピントずれを防止することができる。
【００１７】
上記実施形態では、止めネジ１８を締め付けた状態で、フォーカスリング８の回転操作を行う構成としたが、フォーカス調整時に止めネジ１８を緩めてフォーカスリング８を回転させ、調整後に締め付けるようにしてもよい。このようにすれば、リング部２２の外周面を傷付ける心配はない。
また、止めネジ１８の回転操作を要するものの、フォーカス調整作業において止めネジ１８の位置は不変であるので、フォーカスリング８の回転角の大きさに伴う従来のような困難性は生じない。
【００１８】
上記実施形態では、監視カメラでの実施を例示したが、これに限定されず、取り付け環境が狭い場合などの他種のカメラにおいても同様に実施でき、フォーカス調整が容易且つ高分解能で行える。
【符号の説明】
【００１９】
６  レンズ保持枠
８  フォーカスリング
１２  光軸
１８  止めネジ
２０フォーカスストッパ部材
２０ｂ−１  固定部
２０ｂ−２  当接部
２４、２６  弾性材
【図１】
0005823233.tif 000002
【図２】
0005823233.tif 000003
【図３】
0005823233.tif 000004
【図４】
0005823233.tif 000005
【図５】
0005823233.tif 000006
【図６】
0005823233.tif 000007
【図７】
0005823233.tif 000008